(57)【要約】【課題】使用者が粉砕刃で負傷してしまう虞が少ない砕氷器を提供すること。【解決手段】基台たる装置本体１に、中間部に粉砕刃１１が取り付けられた回転軸９を有する砕氷器本体４を着脱自在に設置し、前記回転軸９の前端に回転阻止機構１２を設けることで、砕氷器本体４を装置本体１に設置した時には、前記回転軸９が回転自在となり、この回転軸９を回転させることで前記砕氷器本体４に投入された塊氷が粉砕刃１１によって粉砕されると共に、前記砕氷器本体４を装置本体１から取り外した時には、前記回転阻止機構１２によって前記回転軸９、ひいては前記粉砕刃１１の回転が阻止されるので、砕氷器本体４内に誤って指等を入れたとしても、前記粉砕刃１１が回転することによる負傷の虞を少なくすることができる。【選択図】　図４
2004060900.tif 000002
【特許請求の範囲】
【請求項１】
基台と、この基台上に設置される砕氷器本体と、この砕氷器本体内に設けられる回転軸と、この回転軸に取り付けられる粉砕刃と、前記砕氷器本体を基台から取り外したときに前記粉砕刃の回転を阻止する回転阻止機構とを有することを特徴とする砕氷器。
【請求項２】
前記回転阻止機構が、前記回転軸に取り付けられた遊動歯車と、前記回転軸の軸交差方向に移動して前記遊動歯車と係合する係止体と、この係止体を前記遊動歯車の方向に付勢する付勢手段と、砕氷器本体を基台上に設置したときに、前記付勢手段に抗して係止体を移動させる押圧部より構成されることを特徴とする請求項１記載の砕氷器。
【請求項３】
前記係止体の移動方向を基準として、前記回転軸の軸線を挟んだ前記係止体の両側に被押圧部を形成したことを特徴とする請求項２記載の砕氷器。
【発明の詳細な説明】
【０００１】
【発明が属する技術分野】
本発明は、手動で粉砕刃を回転させることで塊氷を砕いて細氷を作るための砕氷器に関するものである。
【０００２】
【発明が解決しようとする課題】
従来この種の砕氷器としては、例えば、実公平３−８９３１号公報や、実公昭６０−３８１３２号公報等に記載されているものが知られている。これらの砕氷器は、本体ケース（砕氷器本体）に、複数の回転刃（粉砕刃）が取り付けられた主軸（回転軸）を回転自在に軸支したものであり、使用者が手でハンドルを回転させることで、このハンドルが取り付けられた副軸が回転し、この副軸に取り付けられた副歯車及び前記主軸に取り付けられた主歯車を介して主軸が回転することにより、この主軸に取り付けられた回転刃が回転して塊氷を割砕するものである。そして、前者の砕氷器においては、操作部材を操作しない状態では、副歯車が主歯車と噛合しない位置にあり、これによってハンドルを回しても主軸即ち回転刃が回転しないようになっている。また、後者の砕氷器においては、蓋体を開くことによって伝達部材が移動し、副歯車が主歯車と噛合しない位置に移動することによって、ハンドルを回しても主軸即ち回転刃が回転しないようになっている。そして、このようにハンドルを回しても回転刃が回転しないように構成することで、使用者が誤って負傷してしまう虞を少なくすることができる。
【０００３】
しかしながら、これらの砕氷器においては、単純に歯車の噛合が解除されているだけであり、回転軸に取り付けられた粉砕刃が自然に回転してしまうことを抑制できるものではない。そして、前記粉砕刃の先端は鋭く形成されているので、砕氷器の手入れ時等に何らかの原因で回転した粉砕刃に使用者が誤って触れてしまい、その結果負傷してしまうという虞が未だに残っていることになる。
【０００４】
本発明は以上の問題点を解決し、使用者が粉砕刃で負傷してしまう虞を更に少なくすることができる砕氷器を提供することを目的とする。
【０００５】
【課題を解決するための手段】
本発明の請求項１に記載の砕氷器は、基台と、この基台上に設置される砕氷器本体と、この砕氷器本体内に設けられる回転軸と、この回転軸に取り付けられる粉砕刃と、前記砕氷器本体を基台から取り外したときに前記粉砕刃の回転を阻止する回転阻止機構とを有するものである。
【０００６】
本発明は以上のように構成することにより、粉砕器本体を基台から取り外すと、回転阻止機構によって粉砕刃の回転が阻止される。
【０００７】
また、本発明の請求項２に記載の砕氷器は、請求項１において、前記回転阻止機構が、前記回転軸に取り付けられた遊動歯車と、前記回転軸の軸交差方向に移動して前記遊動歯車と係合する係止体と、この係止体を前記遊動歯車の方向に付勢する付勢手段と、砕氷器本体を基台上に設置したときに、前記付勢手段に抗して係止体を移動させる押圧部より構成されるものである。
【０００８】
本発明は以上のように構成することにより、粉砕器本体を基台から取り外すと、係止体が付勢手段によって遊動歯車に押し付けられ、これら係止体と遊動歯車が係合することで回転軸即ち粉砕刃の回転が阻止される。
【０００９】
更に、本発明の請求項３に記載の砕氷器は、請求項２において、前記係止体の移動方向を基準として、前記回転軸の軸線を挟んだ前記係止体の両側に被押圧部を形成したものである。
【００１０】
本発明は以上のように構成することにより、回転軸の軸線を挟んだ係止体の両側に形成された被押圧部が押されることで、係止体が片押しされず適切に移動する。
【００１１】
【発明の実施形態】
以下、本発明の実施形態について、図１乃至図５に基づいて説明する。なお、本実施形態においては、図１及び図２を基準として、その前後上下左右を規定する。１は基台たる装置本体である。この装置本体１は、図２に示すように、右側が前後方向にやや細くなっていると共に、左端側が略半円柱状に形成されている。そして、この装置本体１の右側には、上方及び右側が開放した凹部２が形成されており、この凹部２に対して、右側から氷受器３が着脱自在に設置されている。また、前記凹部２の上方には、砕氷器本体４が着脱自在に設置されている。また、前記装置本体１の左側内部には、図示しない電動機及び減速機構が設けられていると共に、この減速機構の上方にアイスクリーム製造装置５が着脱自在に設置されている。更に、前記装置本体１の前面には電源スイッチ６が設けられている。
【００１２】
前記砕氷器本体４は、前記装置本体１の形状に沿うように、右側が前後方向に細くなるように形成されている。そして、前記砕氷器本体４は、氷投入口７が形成された機枠８と、この機枠８内に略水平に設けられた回転軸９と、この回転軸９の後端に設けられたハンドル１０と、前記回転軸９の中間部に複数設けられた粉砕刃１１と、前記回転軸９の前端に設けられた回転阻止機構１２と、前記粉砕刃１１の下方に設けられると共にこの粉砕刃１１によって砕かれた氷を氷受器３に落下させる氷落下口１３と、前記氷投入口７を着脱自在に覆う蓋体１４とで構成されている。なお、前記回転軸９は、前記機枠８の後面と直交するように、前端がやや左を向くように傾いて設けられている。また、前記粉砕刃１１は、前記氷投入口７に露出している。
【００１３】
回動阻止機構１２について詳述する。この回動阻止機構１２は、前記回転軸９の前端に固定された遊動歯車１５と、この遊動歯車１５を囲むように形成された摺動枠１６と、この摺動枠１６を上下方向に摺動可能な係止体１７と、この係止体１７を下方に付勢する付勢手段たるコイルバネ１８と、前記砕氷器本体４を装置本体１上に設置した際に前記係止体１７をコイルバネ１８の付勢力に抗して上方に押し上げる一対の押圧部たる押圧突起１９とで構成されている。なお、この押圧突起１９は、前記装置本体１の上面に設けられている。そして、前記摺動枠１６の上部にはバネ受け凹部２０が形成されていると共に、前記係止体１７の上部には前記コイルバネ１８の位置決め凸部２１が設けられており、これらバネ受け凹部２０と位置決め凸部２１の間で前記コイルバネ１８が設けられている。また、前記係止体１７の上部には、下方に突出して前記遊動歯車１５の歯と噛合する係止突起２２が一体に形成されている。また、前記係止体１７は下方が開放した切欠部１７Ａを有して略逆Ｕ字状に形成されていると共に、略面対称に形成されている。そして、前記係止体１７は、この切欠部１７Ａで前記回転軸９を跨ぐように構成されている。更に、前記係止体１７の下端には、前記押圧突起１９に対応して、一対の被押圧部２３が設けられている。なお、これら被押圧部２３は、前記回転軸９を跨いで対称となる位置に設けられている。そして、前記機枠８の下部には、前記一対の押圧突起１９に対応して、一対の孔部２４が形成されている。
【００１４】
次に、本実施形態の作用について説明する。まず、アイスクリームを製造する場合、前記装置本体１の左側上部に予め冷凍庫等で冷却された前記アイスクリーム製造装置５を設置し、このアイスクリーム製造装置５内にアイスクリーム材料を投入して前記電源スイッチ６をＯＮにする。このとき、図示しない前記電動機に電力が供給されることで、この電動機が回転し、この回転が図示しない前記減速機構を介して前記アイスクリーム製造装置５に伝わり、このアイスクリーム製造装置５が回転駆動されることになる。これによって、前記アイスクリーム製造装置５に投入されたアイスクリーム材料が冷却されながら回転してアイスクリームとなる。そして、アイスクリームの製造が完了すると、使用者は前記電源スイッチ６をＯＦＦにする。このとき、前記電動機への通電が断たれることでこの電動機の回転が停止し、従って前記アイスクリーム製造装置５の回転も停止する。そして、製造されたアイスクリームを別の器に移して食すか、又は冷蔵庫の冷凍室等で保存する。更に、アイスクリームの製造が済んだ前記アイスクリーム製造装置５は、装置本体１から取り外された後、洗浄される。
【００１５】
次に、塊氷を砕いて細氷を作る場合、前記装置本体１の凹部２に右側方から前記氷受器３を設置すると共に、前記装置本体１の右側上部に前記砕氷器本体４を設置する。このとき、前記装置本体１の上部に設けられた押圧突起１９によって、前記穴部２４を通して前記被押圧部２３が押されることで、前記係止体１７が前記コイルバネ１８の付勢力に抗して摺動枠１６内で上方に押し上げられる。そして、前記係止体１７が上方に押し上げられることで、前記係止突起２２と遊動歯車１５との噛合が解除され、回転軸９が回転自在な状態となる。なお、前述したとおり、前記一対の被押圧部２３は、前記回転軸９を跨いで対称となる位置に設けられているので、前記砕氷器本体４を前記装置本体１に置いた際に前記押圧突起１９によって前記回転軸９の両側から同時に上方に押されることになり、これによって、前記係止体１７の被押圧部２３の片方だけが片押しされることがなく、適切に上方に移動することになる。そして、この状態で前記蓋体１４を外し、前記氷投入口７から氷を投入し、この氷投入口７を再び前記蓋体１４で閉じた後、前記ハンドル１０を回す。すると、このハンドル１０が取り付けられた前記回転軸９及びこの回転軸９に取り付けられた複数の前記粉砕刃１１が回転する。そして、この粉砕刃１１の回転によって、前記氷投入口７に投入された塊氷が砕かれ、この砕かれた細氷が前記氷落下口１３から前記凹部２の氷受器３に落下して貯められる。このようにして作られた細氷は、飲料等に入れるなどして使われる。
【００１６】
そして、細氷を作り終わった後で前記砕氷器本体４を手入れする場合、まず、この砕氷器本体４を前記装置本体１から取り外す。すると、前記押圧突起１９による押圧が解除されることで、前記係止体１７が前記摺動枠１６内で前記コイルバネ１８の付勢力によって下方に押し下げられる。そして、前記係止体１７が押し下げられることによって、この係止体１７に形成されている前記係止突起２２も下降し、前記遊動歯車１５と噛合することになる。なお、前記係止体１７は前記摺動枠１６に沿って上下に移動するものの、前記回転軸９回りに回転することがないため、前記係止体１７の係止突起２２と噛合した前記遊動歯車１５、ひいては前記回転軸９も回転不能な状態となる。即ち、この状態で前記ハンドル１０に触れたとしても、前記回転軸９、ひいては前記粉砕刃１１が回転することがない。そして、この状態で前記蓋体１４を取り外し、前記砕氷器本体４内を水洗することで、この砕氷器本体４内が洗浄される。このとき、誤って前記氷投入口７に指を入れてしまっても、前述した通り前記粉砕刃１１が回転不能な状態となっているため、この粉砕刃１１が動いて指に触れることがなく、使用者の方から前記粉砕刃１１に触れない限り負傷する虞が少ない。そして、前記砕氷器本体４を洗浄した後、水を切り、再び前記装置本体１の右側上部に設置する。また、前記氷受器３も、前記凹部２の右側方から取り外した後で洗浄して水を切り、再び前記装置本体１の凹部２に設置する。
【００１７】
以上のように本発明は、基台たる装置本体１に、中間部に粉砕刃１１が取り付けられた回転軸９を有する砕氷器本体４を着脱自在に設置し、前記回転軸９の前端に回転阻止機構１２を設けたものであり、砕氷器本体４を装置本体１に設置した時には、前記回転軸９が回転自在となり、この回転軸９を回転させることで前記砕氷器本体４に投入された塊氷が粉砕刃１１によって粉砕されると共に、前記砕氷器本体４を装置本体１から取り外した時には、前記回転阻止機構１２によって前記回転軸９、ひいては前記粉砕刃１１の回転が阻止されるので、砕氷器本体４内に誤って指等を入れたとしても、前記粉砕刃１１が回転することによる負傷の虞を少なくすることができる。
【００１８】
また、本発明の砕氷器は、前記回動阻止機構１２を、前記回転軸９の前端に固定された遊動歯車１５と、この回転軸９を跨ぐように上下方向に摺動可能であると共に前記遊動歯車１５の歯と噛合する係止突起２２が一体に形成され且つ付勢手段たるコイルバネ１８によって下方に付勢された係止体１７と、前記砕氷器本体４を装置本体１上に設置した際に前記係止体１７をコイルバネ１８の付勢力に抗して上方に押し上げる押圧部たる一対の押圧突起１９とで構成することで、砕氷器本体４を装置本体１に設置した時には、前記装置本体１の上部に設けられた押圧突起１９によって、前記係止体１７が前記コイルバネ１８の付勢力に抗して上方に押し上げられ、前記係止突起２２と遊動歯車１５との噛合が解除され、回転軸９が回転自在な状態となると共に、前記砕氷器本体４を装置本体１から取り外した時には、前記押圧突起１９による押圧が解除されることで、前記係止体１７が前記コイルバネ１８の付勢力によって下方に押し下げられ、前記係止突起２２が前記遊動歯車１５と噛合し、前記回転軸９の回転が阻止されるので、簡単な構造で確実に回転軸９、ひいては粉砕刃１１の回転を阻止することができる。
【００１９】
更に、本発明の砕氷器は、前記係止体１７を、前記回転軸９を挟んで略面対称の略逆Ｕ字状に形成すると共に、前記係止体１７の両下端に、前記押圧突起１９に対応した一対の被押圧部２３を設けたものであり、前記砕氷器本体４を前記装置本体１に置いた際に前記押圧突起１９によって前記係止体１７の被押圧部２３が前記回転軸９の両側から同時に上方に押されることになり、これによって、係止体１７が片押しされることがなく、適切に上方に移動することになるので、砕氷器本体を基台上に設置したときに係止体が確実に上方に移動し、これによって確実に粉砕刃を回せる状態にすることができる。
【００２０】
なお、本発明は以上の実施形態に限定されるものではなく、発明の要旨の範囲内で種々の変形が可能である。例えば、上記実施形態では係止体は切欠部を有した逆Ｕ字状に形成されているが、要は係止体が上下に移動自在であればよいので、切欠部の代わりに上下に長い長孔を有する形状に形成してもよい。
【００２１】
【発明の効果】
本発明の請求項１に記載の砕氷器は、基台と、この基台上に設置される砕氷器本体と、この砕氷器本体内に設けられる回転軸と、この回転軸に取り付けられる粉砕刃と、前記砕氷器本体を基台から取り外したときに前記粉砕刃の回転を阻止する回転阻止機構とを有するものであり、粉砕器本体を基台から取り外すと、回転阻止機構によって粉砕刃の回転が阻止されるので、不用意に粉砕刃が動くことがなく、粉砕刃による負傷を確実に阻止することができる。
【００２２】
また、本発明の請求項２に記載の砕氷器は、請求項１において、前記回転阻止機構が、前記回転軸に取り付けられた遊動歯車と、前記回転軸の軸交差方向に移動して前記遊動歯車と係合する係止体と、この係止体を前記遊動歯車の方向に付勢する付勢手段と、砕氷器本体を基台上に設置したときに、前記付勢手段に抗して係止体を移動させる押圧部より構成されるものであり、粉砕器本体を基台から取り外すと、係止体が付勢手段によって遊動歯車に押し付けられ、これら係止体と遊動歯車が係合することで回転軸即ち粉砕刃の回転が阻止されるので、簡単な構造の回転阻止機構によって、粉砕刃による負傷を確実に阻止することができる。
【００２３】
更に、本発明の請求項３に記載の砕氷器は、請求項２において、前記係止体の移動方向を基準として、前記回転軸の軸線を挟んだ前記係止体の両側に被押圧部を形成したものであり、回転軸の軸線を挟んだ係止体の両側に形成された被押圧部が押されることで、係止体が片押しされず適切に移動するので、砕氷器本体を基台上に設置したときに係止体が確実に上方に移動し、これによって確実に粉砕刃を回せる状態にすることができる。
【図面の簡単な説明】
【図１】本発明の一実施例を示す砕氷器の正面図である。
【図２】同上、蓋体を取り外した状体の平面図である。
【図３】同上、要部の断面図である。
【図４】同上、回動阻止機構を回転軸の軸方向前端側から見た説明図であり、（ａ）は砕氷器本体を装置本体に設置した状態の説明図、（ｂ）は砕氷器本体を装置本体から取り外した状態の説明図である。
【図５】同上、回動阻止機構を回転軸の軸直方向右側から見た説明図であり、（ａ）は砕氷器本体を装置本体に設置した状態の説明図、（ｂ）は砕氷器本体を装置本体から取り外した状態の説明図である。
【符号の説明】
１　装置本体（基台）
４　砕氷器本体
９　回転軸
１１　粉砕刃
１２　回転阻止機構
１５　遊動歯車
１７　係止体
１８　コイルバネ（付勢手段）
１９　押圧突起（押圧部）
２３　被押圧部
【図１】
2004060900.tif 000003
【図２】
2004060900.tif 000004
【図３】
2004060900.tif 000005
【図４】
2004060900.tif 000006
【図５】
2004060900.tif 000007